(57)【要約】【課題】音声コード１を有した印刷物の偽造防止及び真贋判定を可能とする。【解決手段】バイナリデータがセル化されたデータ要素領域と、データ要素領域の切り出しと位置決めを行うための、線分と見出し線とでT時形状に形成されたデータ認識用Ｔ字形マーカとを備え、データ要素領域における一方の縦辺及び一方の横辺とデータ認識用Ｔ字形マーカにおける線分との間に第一の間隙が形成され、データ要素領域における他方の縦辺及び他方の横辺と前記データ認識用Ｔ字形マーカにおける見出し線との間に第二の間隙が形成されるように配設されてなる。セルの一辺の長さは１／１５０インチであり、第一の間隙は１／６００インチの間隔を有するように形成されており、第一の間隙及びデータ要素領域の少なくとも一部領域には、光学濃度（ＯＤ値）が０．４７乃至０．４９の範囲内にある黒インキによるベタ印刷がなされたベタ印刷領域を備える。【選択図】図２
2018099775.tif 000002
【特許請求の範囲】
【請求項１】
二次元コードを有する印刷物において、
前記二次元コードは、
バイナリデータがセル化され、当該セルが縦横の２方向に配列されることで二次元マトリックス状に構成されたデータ要素領域と、
前記データ要素領域を囲む破線からなる矩形部と、前記矩形部を成す前記破線の各線分から垂直に延出された見出し線とから構成されると共に、前記破線の前記線分及び前記見出し線から構成され、前記線分が前記データ要素領域における一方の縦辺側及びこの縦辺と直交する一方の横辺側に配設されるようにＴ字形に形成されたマーカと、前記見出し線が前記データ要素領域における互いに直交し前記一方の縦辺と前記一方の横辺にそれぞれ対向する他方の縦辺側及び他方の横辺側に配設されるようにＴ字形に形成されたマーカと、からなる前記データ要素領域の切り出しと位置決めを行うためのデータ認識用Ｔ字形マーカとを備え、
前記データ要素領域における前記一方の縦辺及び一方の横辺と前記データ認識用Ｔ字形マーカにおける前記線分との間に第一の間隙が形成され、前記データ要素領域における前記他方の縦辺及び他方の横辺と前記データ認識用Ｔ字形マーカにおける前記見出し線との間に第二の間隙が形成されるように配設されてなる二次元コードを有した印刷物において、
前記セルは一辺が１／１５０インチ乃至１／１００インチの範囲内の長さであり、
前記第一の間隙は１／６００インチ以上、且つ、前記セルの一辺の長さより短い範囲内の間隔を有するように構成されており、
前記第一の間隙及び前記データ要素領域の少なくとも一部領域には、光学濃度が０．４７乃至０．４９の範囲内にある黒インキによるベタ印刷がなされたベタ印刷領域を備えていることを特徴とする、二次元コードを有する印刷物。
【請求項２】
前記印刷物における前記二次元コードが備えられた面側には、前記二次元コードが備えられた領域を除く少なくとも一部の領域に、黒色以外の色を有したインキにより印刷された印刷領域が備えられていることを特徴とする、請求項１記載の二次元コードを有する印刷物。
【請求項３】
前記ベタ印刷領域は、前記第一の間隙及び前記データ要素領域における白色領域の面積の２５％を超える面積を有することを特徴とする請求項１または請求項2記載の二次元コードを有する印刷物。
【請求項４】
二次元コードを有する印刷物において、
前記二次元コードは、
バイナリデータがセル化され、当該セルが縦横の２方向に配列されることで二次元マトリックス状に構成されたデータ要素領域と、
前記データ要素領域を囲む破線からなる矩形部と、前記矩形部を成す前記破線の各線分から垂直に延出された見出し線とから構成されると共に、前記破線の前記線分及び前記見出し線から構成され、前記線分が前記データ要素領域における一方の縦辺側及びこの縦辺と直交する一方の横辺側に配設されるようにＴ字形に形成されたマーカと、前記見出し線が前記データ要素領域における互いに直交し前記一方の縦辺と前記一方の横辺にそれぞれ対向する他方の縦辺側及び他方の横辺側に配設されるようにＴ字形に形成されたマーカと、からなる前記データ要素領域の切り出しと位置決めを行うためのデータ認識用Ｔ字形マーカとを備え、
前記データ要素領域における前記一方の縦辺及び一方の横辺と前記データ認識用Ｔ字形マーカにおける前記線分との間に第一の間隙が形成され、前記データ要素領域における前記他方の縦辺及び他方の横辺と前記データ認識用Ｔ字形マーカにおける前記見出し線との間に第二の間隙が形成されるように配設されてなる二次元コードを有した印刷物において、
前記セルは一辺が１／１５０インチ乃至１／１００インチの範囲内の長さであり、
前記第一の間隙は１／６００インチ以上、且つ、前記セルの一辺の長さより短い範囲内の間隔を有するように形成されており、
前記第一の間隙及び前記データ要素領域の少なくとも一部領域には、有色インキによりベタ印刷されたベタ印刷領域を備えており、
前記ベタ印刷領域は、
シアン、マゼンタ、イエロー、黒色のそれぞれに関して測定した光学濃度について、
シアンの光学濃度がマゼンタおよびイエローの光学濃度より高く、且つ、黒色の光学濃度が０．８乃至１．２の範囲内である、又は、
マゼンタの光学濃度がシアンおよびイエローの光学濃度より高く、且つ、黒色の光学濃度が０．３乃至０．７の範囲内にある、又は、
イエローの光学濃度がシアンおよびマゼンタの光学濃度より高く、且つ、黒色の光学濃度が０．４乃至０．８の範囲内にある、
のいずれかの条件を満たすインキを前記有色インキとしてベタ印刷されることを特徴とする、二次元コードを有する印刷物。
【請求項５】
前記ベタ印刷領域は、前記第一の間隙及び前記テータ要素領域における白色領域の面積の２５％を超える面積を有することを特徴とする請求項４記載の二次元コードを有する印刷物。
【発明の詳細な説明】
【技術分野】
【０００１】
本発明は、二次元コードを有した印刷物において、当該二次元コードの偽造防止及び真贋判定を可能とする印刷物に関する。
【背景技術】
【０００２】
近年、帳票、郵便物、チケット、金券類、証明書類等の印刷物の表面に、所定の情報を記録した二次元コードが備えられ、この二次元コードを光学的に読み取ることにより、更なる情報が簡単に取得できるように構成された印刷物が提供されている。
【０００３】
上述のような印刷物に備えられた二次元コードの中に、この二次元コードに記録された文字情報を、専用の読取装置や専用のアプリケーションがインストールされたスマートフォンなどで読み取ることにより、記録された文字情報が音声を使った読み上げにより聴取できる構成のものが提案されている。
【０００４】
例えば、特許文献１において示されている、バイナリデータがセル化され、当該セルが縦横の２方向に配列されることで二次元マトリックス状に構成されたデータ要素領域と、前記データ要素領域を囲む破線からなる矩形部と、前記矩形部を成す前記破線の各線分から垂直に延出された見出し線とから構成されると共に、前記破線の前記線分及び前記見出し線でＴ字形に形成され前記データ要素領域の切り出しと位置決めを行うためのデータ認識用Ｔ字形マーカとを備えた二次元コードである。
【０００５】
この二次元コードは、データ要素領域の切り出しと位置決めを行なうデータ認識用Ｔ字形マーカが、データ要素領域を囲うように配設され、データ要素領域の中に存在しないので、その分、より多くのデータを記録することができることから、二次元コード全体のサイズが小さくても大容量の情報を高密度で記録できる。
【０００６】
このような構成の二次元コードによると、専用の読取装置や専用のアプリケーションがインストールされたスマートフォンにより、記録された文字情報が音声を使った読み上げにより聴取できることから、視聴覚障害者にとって利便性の高い二次元コードを有した印刷物とすることができる。
【先行技術文献】
【特許文献】
【０００７】
【特許文献１】特許第４８６５８４４号公報
【発明の概要】
【発明が解決しようとする課題】
【０００８】
しかしながら、近年の複写機の高性能化に伴い高精細、高品質な複写物が容易に得られるようになっており、特許文献１のような小型サイズの中に大容量の情報を高密度で記録した二次元コードであっても、誰でも簡単に複写できてしまうといった問題があった。
【０００９】
更に、複写物が精度良く作成されるため、目視でも、専用の読取装置や専用のアプリケーションがインストールされたスマートフォンでも、二次元コードが真正か真正でないかを判定できないので、不正に利用されるといったセキュリティー上の問題も考えられた。
【００１０】
特に視聴覚障害者にとっては、例えば二次元コードだけが精度良く作成された印刷物を受け取っても、専用の読取装置や専用のアプリケーションがインストールされたスマートフォンにより、記録された文字情報が聴取できてしまえば、それ以上の視覚情報の取得が難しいため、受け取った印刷物を真正であると認識してしまう問題があった。
【００１１】
本願発明は、上記問題に鑑み、複写による偽造を防止するとともに、複写物であることが二次元コード読取時に判別可能な印刷物を提供することを目的とする。
【課題を解決するための手段】
【００１２】
本願発明は、二次元コードを有する印刷物において、前記二次元コードは、バイナリデータがセル化され、当該セルが縦横の２方向に配列されることで二次元マトリックス状に構成されたデータ要素領域と、前記データ要素領域を囲む破線からなる矩形部と、前記矩形部を成す前記破線の各線分から垂直に延出された見出し線とから構成されると共に、前記破線の前記線分及び前記見出し線から構成され、前記線分が前記データ要素領域における一方の縦辺側及びこの縦辺と直交する一方の横辺側に配設されるようにＴ字形に形成されたマーカと、前記見出し線が前記データ要素領域における互いに直交し前記一方の縦辺と前記一方の横辺にそれぞれ対向する他方の縦辺側及び他方の横辺側に配設されるようにＴ字形に形成されたマーカと、からなる前記データ要素領域の切り出しと位置決めを行うためのデータ認識用Ｔ字形マーカとを備え、前記データ要素領域における前記一方の縦辺及び一方の横辺と前記データ認識用Ｔ字形マーカにおける前記線分との間に第一の間隙が形成され、前記データ要素領域における前記他方の縦辺及び他方の横辺と前記データ認識用Ｔ字形マーカにおける前記見出し線との間に第二の間隙が形成されるように配設されてなる二次元コードを有した印刷物において、前記セルは一辺が１／１５０インチ乃至１／１００インチの範囲内の長さであり、前記第一の間隙は１／６００インチ以上、且つ、前記セルの一辺の長さより短い範囲内の間隔を有するように構成されており、前記第一の間隙及び前記データ要素領域の少なくとも一部領域には、光学濃度が０．４７乃至０．４９の範囲内にある黒インキによるベタ印刷がなされたベタ印刷領域を備えていることを特徴とする。
【００１３】
上述した本願発明にあって、前記印刷物における前記二次元コードが備えられた面側には、前記二次元コードが備えられた領域を除く少なくとも一部の領域に、黒色以外の色を有したインキにより印刷された印刷領域が備えられているものとする構成が提案される。
【００１４】
上述した本願発明にあって、前記ベタ印刷領域は、前記第一の間隙及び前記データ要素領域における白色領域の面積の２５％を超える面積を有するものとする構成が提案される。
【００１５】
また、本願発明は、二次元コードを有する印刷物において、前記二次元コードは、バイナリデータがセル化され、当該セルが縦横の２方向に配列されることで二次元マトリックス状に構成されたデータ要素領域と、前記データ要素領域を囲む破線からなる矩形部と、前記矩形部を成す前記破線の各線分から垂直に延出された見出し線とから構成されると共に、前記破線の前記線分及び前記見出し線から構成され、前記線分が前記データ要素領域における一方の縦辺側及びこの縦辺と直交する一方の横辺側に配設されるようにＴ字形に形成されたマーカと、前記見出し線が前記データ要素領域における互いに直交し前記一方の縦辺と前記一方の横辺にそれぞれ対向する他方の縦辺側及び他方の横辺側に配設されるようにＴ字形に形成されたマーカと、からなる前記データ要素領域の切り出しと位置決めを行うためのデータ認識用Ｔ字形マーカとを備え、前記データ要素領域における前記一方の縦辺及び一方の横辺と前記データ認識用Ｔ字形マーカにおける前記線分との間に第一の間隙が形成され、前記データ要素領域における前記他方の縦辺及び他方の横辺と前記データ認識用Ｔ字形マーカにおける前記見出し線との間に第二の間隙が形成されるように配設されてなる二次元コードを有した印刷物において、前記セルは一辺が１／１５０インチ乃至１／１００インチの範囲内の長さであり、前記第一の間隙は１／６００インチ以上、且つ、前記セルの一辺の長さより短い範囲内の間隔を有するように形成されており、前記第一の間隙及び前記データ要素領域の少なくとも一部領域には、有色インキによりベタ印刷されたベタ印刷領域を備えており、前記ベタ印刷領域は、シアン、マゼンタ、イエロー、黒色のそれぞれに関して測定した光学濃度について、シアンの光学濃度がマゼンタおよびイエローの光学濃度より高く、且つ、黒色の光学濃度が０．８乃至１．２の範囲内である、又は、マゼンタの光学濃度がシアンおよびイエローの光学濃度より高く、且つ、黒色の光学濃度が０．３乃至０．７の範囲内にある、又は、イエローの光学濃度がシアンおよびマゼンタの光学濃度より高く、且つ、黒色の光学濃度が０．４乃至０．８の範囲内にある、のいずれかの条件を満たすインキを前記有色インキとしてベタ印刷されることを特徴とする。
【００１６】
また、上述した本願発明にあって、前記ベタ印刷領域は、前記第一の間隙及び前記テータ要素領域における白色領域の面積の２５％を超える面積を有するものとする構成が提案される。
【発明の効果】
【００１７】
以上、本願発明の二次元コードを有した印刷物によると、所定の光学濃度（ＯＤ値）を有したインキにより形成された前記ベタ印刷領域に対して前記二次元コードを重ね合わせるように印字することにより、真正品である印刷物においては、前記ベタ印刷領域の存在があっても、全く影響を受けることなく前記二次元コードの読取が可能であるものの、真正品を複写した複写物においては、前記ベタ印刷領域の存在の影響を受け、前記二次元コードの読取が不可能とすることができるから、例え複写機により偽造されても、専用の読取装置や専用のアプリケーションがインストールされたスマートフォンなどにより簡単に真贋判定ができる優れた機能を備えた印刷物を提供することができる。
【００１８】
前記音声コードが微細な構成からなると共に、前記音声コードと重なるように配設される前記ベタ印刷領域に用いるインキの光学濃度（ＯＤ値）が極めて限定されるものであるから、容易に偽造されることがない、優れた偽造防止効果を備えた印刷物を提供できる。
【００１９】
前記ベタ印刷領域に用いるインキは黒色インキばかりでなく、有色インキも利用できることから、前記ベタ印刷領域を背景模様などと一体的にデザインすれば、デザイン性の優れた印刷物を提供することができる。
【００２０】
特に視聴覚障害者にとっては、専用の読取装置や専用のアプリケーションがインストールされたスマートフォンを使って、読み取った文字情報を音声により確認すれば、受取った印刷物が本物であるかどうかをその場で判断できる、極めて利便性の高い印刷物を提供することができる。
【図面の簡単な説明】
【００２１】
【図１】音声コード１を有した印刷物１００の実施例を示す概略平面図である。
【図２】音声コード１の構成を説明する概略説明図である。
【図３】音声コード１と従来の音声コードを比較するために図２の一部を拡大した図であり、（ａ）はベタ印刷領域１１５を備えた本願発明の構成を説明する説明図、（ｂ）はベタ印刷領域１１５を備えていない従来の構成を説明する説明図である。
【図４】音声コード１を備えた印刷物１００において、濃度が異なる黒色インキによりベタ印刷１５されたベタ印刷領域１１５と重なるように、プリンタを使って音声コード１を印字した原本と、この原本を複写した複写物を、専用の読取装置を使って音声コード１に記録された情報が読み取れるか否かを評価した結果であり、（ａ）は原本の読取結果、（ｂ）は原本を複写した複写物の読取結果である。
【図５】図４の評価において用いた黒色インキの濃度の区分を光学濃度（ＯＤ値）で示した表である。
【図６】ベタ印刷領域１１５の他の構成を示す概略平面図である。
【図７】ベタ印刷領域１１５に印刷される有色インキの例を説明する表である。
【図８】ベタ印刷領域１１５の異なる実施例を示す概略平面図である。
【発明を実施するための形態】
【００２２】
本願に係る発明（以下「本発明」と称す）の実施例として、二次元コード１を有した印刷物１００を説明する。尚、以下に示す実施例における二次元コード１は、専用の読取装置や専用のアプリケーションがインストールされたスマートフォンにより、記録された文字情報が音声を使った読み上げにより聴取できるように構成された音声コード（Ｕｎｉ−Ｖｏｉｃｅ（登録商標））のことであり、以下の説明では音声コード１と称する。また、印刷物１００の実施例としてチケットに前記音声コード１を備えさせた例を用いて説明するが、この実施例に限定されるものでない。
【００２３】
図１は本発明の実施例として、音声コード１を備えたチケット１００を示す概略平面図である。図１において、前記音声コード１は印字領域１１０にプリンタにより印字された印字情報であり、ＴＩＣＫＥＴなどの文字情報１２１、背景模様１２２などはそれぞれ印刷領域１２０に印刷された印刷情報である。
【００２４】
前記印字領域１１０は、前記音声コード１の外形寸法と略同じ大きさか、もしくは前記音声コード１の外形寸法より広い領域を有すればよいが、前記音声コード１の読み取りに際して、前記印刷領域１２０に印刷される前記文字情報１２１などによる影響を受けないように、好ましくは前記音声コード１の外形寸法より広い領域とするのが良い。図２に印刷領域１１０を具体的に示す。この図において破線で示されるのが前記印刷領域１１０であり、この実施例では前記音声コード１より僅かに広い領域を有するように形成されている。この破線は前記印字領域１１０を説明するための仮想線であり、この前記印字領域１１０を示す線は有っても無くてもよい。前記印刷領域１２０は、前記印字領域１１０を除く一部の領域、或いは全ての領域に配設させることができる。尚、この実施例では、前記印字領域１１０はチケット１００の半券部分に形成されているが、この実施例に限定されるものではなく、前記印字領域１１０及び前記印刷領域１２０の領域の場所や大きさは問わない。また、印刷物１００を構成する媒体１０５は紙に限定されるものではなく、前記印刷情報である前記文字情報１２１、背景模様１２２などが印刷可能で、前記印字情報である前記音声コード１が印字可能であれば、何れの材質から構成されていてもよい。
【００２５】
次に、前記音声コード１の概略構成について説明する。前記音声コード１は、バイナリデータがセル化され、当該セルが縦横の２方向に配列されることで二次元マトリックス状に構成されたデータ要素領域５と、前記データ要素領域５を囲むように配設された、前記データ要素領域５の切り出しと位置決めを行うためのデータ認識用Ｔ字形マーカ３とを備えてなる。
【００２６】
図２、図３を基に前記音声コード１を詳しく説明する。これらの図において図２は前記音声コード１の構成を説明する概略説明図であり、図３は図２で示す前記音声コード１の部分拡大図である。
【００２７】
前記音声コード１は、前記データ要素領域５を囲うように配設された破線２０、３０、４０、５０を一辺とする矩形部１０と、前記矩形部１０を成す前記破線２０、３０、４０、５０の各線分２１、３１、４１、５１から垂直に延出された見出し線２２、３２、４２、５２とから構成されると共に、前記破線２０、３０、４０、５０の前記線分２１、３１、４１、５１及び前記見出し線２２、３２、４２、５２から構成され、前記線分２１、３１、４１、５１の内、線分２１、３１のように、線分が前記データ要素領域５における一方の縦辺ａ側及びこの縦辺と直交する一方の横辺ｂ側に向けて配設されるようにＴ字形に形成されたマーカ２３、３３と、前記見出し線２２、３２、４２、５２の内、見出し線４２、５２のように、見出し線が前記データ要素領域５における互いに直交し前記一方の縦辺ａと前記一方の横辺ｂにそれぞれ対向する他方の縦辺ｃ側及び他方の横辺ｄ側に向けて配設されるようにＴ字形に形成されたマーカ４３、５３と、からなるデータ認識用Ｔ字マーカ３とを備える。
【００２８】
これらの構成において、前記データ要素領域５と前記データ認識用T字形マーカ３とは、前記データ要素領域５における前記一方の縦辺ａ及び一方の横辺ｂと前記データ認識用Ｔ字形３における前記マーカ２３、３３（より詳しくは前記線分２１、３１）との間に第一の間隙（図３（ｂ））１１を有し、前記データ要素領域５における前記他方の縦辺ｃ及び他方の横辺ｄと前記データ認識用Ｔ字形３における前記マーカ４３、５３ (より詳しくは前記見出し線４２、５２)との間には第二の間隙（図２参照）を有するように配設されることで前記音声コード１が形成されている。
【００２９】
前記データ要素領域５について図３を用いて説明する。前記データ要素領域５は、記録される文字情報に基づいて黒色セル６、白色セル７が縦横の２方向に配列された二次元マトリックスからなる。本発明においてはセルの一辺の長さは、１／１５０インチ乃至１／１００インチの範囲内の長さであればよいが、好ましくは１／１５０インチ（約０．１６９２ｍｍ）の長さであるのが良い。
【００３０】
次に、前記第一の間隙１１について図３（ｂ）を用いて更に詳しく説明する。この図によく示されているように、前記データ要素領域５の辺ａ（一方の縦辺）と前記マーカ２３を構成する前記線分２１が成す間隙、辺ｂ（一方の横辺）と前記マーカ３３を構成する前記線分３１が成す間隙が上述した第一の間隙１１である。
【００３１】
前記第一の間隙１１の幅寸法Wは１／６００インチ以上、且つ、前記セルの一辺の長さより短い範囲内の間隔であればよいが、好ましくは１／６００インチ（約０．０４２３ｍｍ）が良い。また、前記第二の間隙１２の幅寸法は、前記見出し線４２、５２がデータ要素領域５の前記他方の縦辺ｃ及び他方の横辺ｄから１／６００インチ以上離れていれば良いが、好ましくは前記データ要素領域５の構成要素である前記セルの一辺の長さと同程度とするのが良い。これにより、前記データ要素領域５の周囲に配置されたすべてのマーカ２３、３３、４３、５３を、データ認識用Ｔ字形マーカ３としてより正確に検出することができるようになる。また、前記音声コード１の外形寸法を必要以上に大きくすることがない。
【００３２】
次に、図２及び図３を用いて本発明の印刷物１００に備えられたベタ印刷領域１１５について説明する。図３は図２の一部を拡大した図であり、（ａ）はベタ印刷領域１１５を備えた本発明の構成を説明する説明図、（ｂ）はベタ印刷領域１１５を備えていない構成（換言すれば従来の構成）を説明する説明図である。前記ベタ印刷領域１１５は、前記音声コード１が印字される前記印字領域１１０の一部領域、或いは印字領域１１０と略重なる大きさの領域に、黒色インキ、もしくは有色インキ（インキについての詳細は後述する）によりベタ印刷１５がなされる領域である。前記ベタ印刷領域１１５を形成するベタ印刷１５は、前記印刷領域１２０に対して前記文字情報１２１、前記背景模様１２２などを印刷する印刷工程において行なうことができる。そして前記音声コード１は、前記ベタ印刷１５がなされた前記印刷領域１１０に対してプリンタ等による印字によって形成される。即ち、本発明においては、前記音声コード１と前記ベタ印刷用域１１５は相互に重なるように配設される。尚、前記ベタ印刷１５がなされた領域が、即ち前記ベタ印刷領域１１５のことであり、以下の説明においてベタ印刷領域１１５と記載する場合は、特に明示する場合を除いて前記ベタ印刷１５がなされたものとする。
【００３３】
次に、前記音声コード１と前記ベタ印刷領域１１５の関係について詳しく説明する。本発明では、前記音声コード１（より詳しくは、前記音声コード１を構成する前記データ要素領域５及びデータ認識用Ｔ字形マーカ３）と前記ベタ印刷領域１１５とは、互いに一部領域、或いは略全面が重なるように配設される。図２には前記データ要素領域５及びデータ認識用Ｔ字形マーカ３が前記ベタ印刷領域１１５と一部領域において重なった実施例が示されており、図６にはベタ印刷領域１１５の他の構成例として、前記データ要素領域５及び前記データ認識用Ｔ字形マーカ３が前記ベタ印刷領域１１５と重なったが例が示されている。尚、図３の部分拡大図によく示されるように、右斜め線のハッチングで示されるのが前記ベタ印刷領域１１５であり、左斜め線のハッチングで示されるのが前記データ要素領域５であり、クロスハッチングにより示されている領域は、前記ベタ印刷領域１１５と前記データ要素領域５が重なり合う重合領域１５ｍである。
【００３４】
前記データ認識用Ｔ字形マーカ３が前記ベタ印刷領域１１５と重なるように配設されているのは、前記第一の間隙１１が前記ベタ印刷領域１１５と重なるようにするためである。つまり、前記ベタ印刷領域１１５は、前記データ要素領域５及び前記第一の間隙１１と重なるように配設されていればよく、必ずしも前記データ認識用Ｔ字形マーカ３が前記ベタ印刷領域１１５と重なる必要は無い。ところが、前記第一の間隙１１の幅寸法Ｗが１／６００インチと非常に狭く、印刷により形成される前記ベタ印刷領域１１５とプリンタの印字による前記音声コード１との位置合わせの作業性などを考慮すると、実施例で示すように配設されるのが良い。また前記ベタ印刷領域１１５の大きさは、所定の大きさ（前記ベタ印刷領域１１５の大きさについては後に詳述する）より広ければ、図６に示されるように、前記音声コード１が印字される印字領域１１０と略同じ大きさであっても良いし、前記印刷領域１２０に印刷される前記背景模様１２２などと一体的に形成されていても良いなど、その大きさは実施例に限定されない。尚、図２、図３、図６に良く示されているように、好ましくは、前記ベタ印刷領域１１５は、前記データ要素領域５及び前記第一の間隙１１と少なくとも一部領域が重なるように配置されるのが良いが、前記データ要素領域５の少なくとも一部領域に重なるように構成されていても良い。
【００３５】
次に、前記音声コード１の実施例について具体的に説明する。前記音声コード１は少なくとも４つのモードからなり、それぞれＸＳモードは６．８×６．８ｍｍ、Ｓモードは１２．３×１２．３ｍｍ、Ｍモードは１７．９×１７．９ｍｍ、Ｌモードは１９．８×１９．８ｍｍの大きさからなる。そして、夫々のモードにおける前記データ要素領域５を構成するセルの数は、セルの大きさが１／１５０インチである条件において、ＸＳモードは４０セル、Ｓモードは７３セル、Ｍモードは１０６セル、Ｌモードは１１７セルである。前記データ認識用Ｔ字形マーカ３を構成する前記線分２１、３１、４１、５１及び前記見出し線２２、３２、４２、５２の幅はセルの一辺と同じである。また、前記第一の間隙１１の幅寸法Ｗは１／６００インチの幅であり、前記第２の間隙の幅寸法は１／１５０インチの幅である。
【００３６】
前記音声コード１は、前記４つのモードの何れにおいても、前記セル１個の大きさ、前記データ認識用Ｔ字形マーカ３を構成する前記線分２１、３１、４１、５１及び前記見出し線２２、３２、４２、５２の幅、前記第一の間隙の幅寸法Ｗ、前記第２の間隙の幅寸法は一定である。例えば、Ｌモードより外形が大きい音声コード１を作成した場合であっても、各構成要素の大きさや幅は変わらない。つまり、前記音声コード１は、前記セルの数をサイズに応じて増加させることができるので、記録するデータ容量に応じ適切なサイズの前記音声コード１を使い分けができる。また、前記音声コード１を印字する印字領域１１０のスペースに応じて適切なサイズが選択できる。
【００３７】
以下に、前記音声コード１と前記ベタ印刷領域１１５を重ね合わせる効果について図４、図５を用いて説明する。図４は本願発明の音声コード１を備えた印刷物１００において、濃度が異なる黒色インキによりベタ印刷１５されたベタ印刷領域１１５と重なるように、プリンタを使って前記音声コード１を印字した原本と、この原本を複写した複写物を、専用のアプリケーションがインストールされたスマートフォンを使って前記音声コード１に記録された情報が読み取れるか否かを評価した結果であり、（ａ）は原本の読取結果であり、（ｂ）は原本を複写した複写物の読取結果である。
【００３８】
図５は、図４に示す黒色インキの濃度区分Ａ〜Ｆに対応する光学濃度（ＯＤ値：Ｏｐｔｉｃａｌ  Ｄｅｎｓｉｔｙ  以下の説明ではＯＤ値と記載する）を示すものであり、この６段階の区分では一番濃いＡからＦの順に黒色が薄くなる。評価に利用した前記ベタ印刷領域１１５は、これらの濃度が異なる黒色インキを使ってベタ印刷１５されたものである。尚、評価用として使用した黒色インキの濃度は、発明者が調合し６つの異なる濃度区分になるよう作成したものである。
【００３９】
以下の説明、及び図面に表示されるＯＤ値は、マクベス反射濃度計  ＲＤ９１４（ＧｒｅｔａｇＭａｃｂｅｔｈ（製））を用いて発明者が測定した値である。
【００４０】
読取評価に使用した原本について説明する。まずこの原本となる媒体に濃度Ａの黒色インキを使って前記ベタ印刷領域１１５を形成する。次に、前記ベタ印刷領域１１５に対して、プリンタを使って前記音声コード１が重なるように印字する（図６参照）。ところで、前記音声コード１は、コード作成時に誤り訂正の強弱を決めることができように構成されているため、評価用の原本として、誤り訂正が「強」に設定された場合と、誤り訂正が「弱」に設定された場合の２通りを作成した。これらの原本を上述したモード毎に作成する。つまり、濃度Ａの黒色インキによるベタ印刷領域１１５の場合、ＸＳモード、Ｓモード、Ｍモード、Ｌモードで８つの原本となる。同様に、濃度Ｂ〜濃度Ｆの黒色インキを使った前記ベタ印刷領域１１５の場合についても、それぞれの濃度に対して８つずつの原本を作成したので、合計で４８通り（前記ベタ印刷領域１１５の濃度区分×前記音声コード１のモードの種類×誤り訂正の強弱）の原本となる。尚、今回の読取評価では、前記音声コード１を印字するプリンタの違いによる評価も行なうことができるよう、メーカーの異なる２つのプリンタを用いて原本を作成したため、全部で９６通りの原本を作成した。
【００４１】
つまりこの読取評価では、プリンタＡで印字した前記音声コード１を備えた原本に対して４８通りの判定数となり、同様にプリンタＢで印字した前記音声コード１を備えた原本に対しても４８通りの判定数となることから、全部で９６通りの判定を行なった。
【００４２】
この評価結果が図４(ａ)に示されている。この評価結果によると、例えばプリンタＡにおいて、濃度Ａの黒色インキにより前記ベタ印刷領域１１５が印刷された原本の場合、ＸＳモードの音声コード１に対して誤り訂正が「強」で読み取ると、安定読み取りまではいかないが読めた（図中の評価は△）。ところが誤り訂正が「弱」での読み取りはできなかった（図中の評価は×）。同様にＳモードの音声コード１に対して誤り訂正が「強」で読み取ると、安定読み取りまではいかないが読め（図中の評価は△）、誤り訂正が「弱」での読み取りはできなかった（図中の評価は×）。Ｍモードの音声コード１に対しては、誤り訂正が「強」でも「弱」でも読み取ることができなかった（図中の評価は×）。同様にＬモードの音声コード１に対しても、誤り訂正が「強」でも「弱」でも読み取ることができなかった（図中の評価は×）。以下、濃度Ｂから濃度Ｆの黒色インキによりベタ印刷領域１１５が印刷された原本のそれぞれの場合について同様の評価を行なった。また、プリンタＢに対しても同様の評価を行なった。
【００４３】
これらの結果に着目すると、プリンタＡの場合もプリンタＢの場合も、「前記音声コード１＋濃度Ｃの黒色インキより薄い（濃度区分Ｃ、Ｄ、Ｅ、Ｆの）黒インキによる前記ベタ印刷領域１１５」からなる原本は、何れのモードでも、誤り訂正の強弱に関わらず、全ての前記音声コード１の読み取りができたことが分かる（図中の評価は○）。
【００４４】
次に、読取評価用に作成した複写物について説明する。この複写物は、上述したプリンタＡで印字した前記音声コード１を備えた４８通りの原本と、プリンタＢで印字した前記音声コード１を備えた４８通りの原本を、複写機を用いて複写したものであり、原本と同様に９６通りの複写物を作成した。そして、それぞれの複写物に対して上述した原本の読取判定と同様に９６通りの判定を行なった。尚、原本を複写する際の複写機の設定条件は、フルカラー、濃度自動で行なった。
【００４５】
この評価結果が図４(ｂ)に示されている。この結果に着目すると、プリンタＡの場合もプリンタＢの場合も、「前記音声コード１＋濃度Ｃの黒色インキより濃い（濃度区分Ｃ、Ｂ、Ａの）黒インキによる前記ベタ印刷領域１１５」からなる原本の複写物は、何れのモードでも、誤り訂正の強弱に関わらず、全ての読取ができないことが分かる（図中の評価は×）。
【００４６】
即ち、前記音声コード１と前記ベタ印刷領域１１５を重ねるように配設した場合、前記ベタ印刷領域１１５には、濃度区分Ｃの黒色インキ、即ち、ＯＤ値が０．４７乃至０．４９の範囲内である黒インキによりベタ印刷１５すれば、原本においては、前記ベタ印刷領域１１５の存在があっても、全く影響を受けることなく前記音声コード１の読み取りが可能であるものの、原本を複写した複写物においては、前記ベタ印刷領域１１５の存在の影響を受け、前記音声コード１の読み取りが不可能とすることができる。このように、前記音声コード１と前記ベタ印刷領域１１５とが重なるように配設されてなる本発明の印刷物１００は、例え複写機により偽造されたとしても、専用の読取装置や専用のアプリケーションがインストールされたスマートフォンなどにより簡単に真贋判定ができる。
【００４７】
また、原本では前記コード１の読み取りが可能で、原本の複写による複写物では前記音声コード１が読み取り不可能とするために、前記データ要素領域５を構成する白色領域（より詳しくは、白色セル７を挟んで隣り合う黒色セル６と黒色セル６とがなす最小の間隔がなす領域）、及び前記第一の間隙１１がなす白色領域のような極めて狭い領域に重なるように前記ベタ印刷領域１１５が配設されると共に、前記ベタ印刷領域１１５を形成する黒インキのＯＤ値を極めて限定することにより、前記白色領域の認識の可・不可を決めたものであるから、容易には偽造ができない構成とすることができる。
【００４８】
特に視聴覚障害者にとっては、専用の読取装置や専用のアプリケーションがインストールされたスマートフォンを使って、読み取った文字情報を音声により確認すれば、受取った印刷物が本物であるかどうかをその場で判断できる。
【００４９】
次に、図２、図６を用いて前記音声コード１と前記ベタ印刷領域１１５の重ね合わせの仕方について説明する。上述したように、読取評価に用いた前記音声コード１と前記ベタ印刷領域１５は、図６に示されるような前記データ要素領域５及び前記データ認識用Ｔ字形マーカ３が前記ベタ印刷領域１１５と重ね合わされるように構成されたものである。この実施例のように、ベタ印刷領域１１５が、前記音声コード１が印字される印字領域１１０と略同じ大きさに形成されておれば、前記印字領域１１０に前記音声コード１を印字する際に印字する位置が多少ずれたとしても、必ず前記前記データ要素領域５及び前記データ認識用Ｔ字形マーカ３が前記ベタ印刷領域１１５と重ね合わさることから、前記音声コード１の印字工程の作業性を損なうことはない。
【００５０】
上述において説明したように、原本においては、前記音声コード１が読取可能であり、当該原本を複写した複写物においては、前記音声コード１は読取不可能とするための条件は、前記データ要素領域５及び前記第一の間隙１１は、前記ベタ印刷領域１１５と必ず重なるように配設されていることである。この条件において、前記ベタ印刷領域１１５は、前記第一の間隙１１及び前記テータ要素領域５における白色領域の面積に対して、少なくとも２５％を超える面積を有する大きさであれば同じ作用効果が得られる。つまり前記ベタ印刷領域１１５の大きさは、前記データ要素領域５及び前記第一の間隙１１と必ず重なるように配設されておれば、図２に示されている実施例のように前記音声コード１と部分的に重なるように配設されていてもよい。これは、前記ベタ印刷領域１１５を備えない従来の音声コード１は、前記データ要素５及び前記第一の間隙１１における白色領域の面積に対して、２５％以下の面積に相当する部分に汚れなどがあった場合でも、誤り訂正により記録された文字情報が読み取れる場合があることを基にしており、本発明においては、前記ベタ印刷領域１１５を備えた前記音声コード１の複写物において、前記音声コード１に記録された文字情報の読み取りが不可能とするための前記ベタ印刷領域１１５の最小面積を決定した。
【００５１】
これまで、前記ベタ印刷領域１１５が黒色インキにより形成された実施例に基づいて説明したが、以下では、前記ベタ印刷領域１１５に黒色インキではない有色インキを用いてベタ印刷１５を施した場合の実施例について図７を用いて説明する。図７は前記ベタ印刷領域１１５に印刷される有色インキの具体的な例として、薄青、ピンク色、濃オレンジを使用する場合を説明する表である。
【００５２】
有色インキにより形成された前記ベタ印刷領域１１５に、黒インキで形成された場合と同様の作用を持たせるための評価を、上述した黒インキの場合の評価方法と同様な方法で行ない、有色インキに求められるＯＤ値の検討を行なった。前記ベタ印刷領域１１５を有色インキで構成する場合、該有色インキのシアン（Ｃ）、マゼンタ（Ｍ）、イエロー（Ｙ）、黒色（K）の各ＯＤ値を測定したときに、
規格１：シアンの光学濃度がマゼンタおよびイエローの光学濃度より高く、且つ、黒色の光学濃度が０．８乃至１．２の範囲内である、又は、
規格２：マゼンタの光学濃度がシアンおよびイエローの光学濃度より高く、且つ、黒色の光学濃度が０．３乃至０．７の範囲内にある、又は、
規格３：イエローの光学濃度がシアンおよびマゼンタの光学濃度より高く、且つ、黒色の光学濃度が０．４乃至０．８の範囲内にある、
のいずれかの条件を満たすインキを前記有色インキとしてベタ印刷がされていれば良いことが分かった。
【００５３】
図７は、この評価において検討した前記ベタ印刷領域１１５に適した色の例を示すものであり、シアン（Ｃ）のＯＤ値が最大値を示す場合の代表例として薄青色のインキと、マゼンタ（Ｍ）のＯＤ値が最大値を示す場合の代表例としてピンク色のインキと、イエロー（Ｙ）のＯＤ値が最大値を示す場合の代表例として濃オレンジのインキについて、それぞれＯＤ値を測定した表である。この表に良く示されるように、評価に用いたシアン（Ｃ）のＯＤ値が最大値を示した薄青色のインキは、黒色（Ｋ）のＯＤ値＝０．９９であったことから、上記規格１を満足していることが分かる。同様にマゼンタ（Ｍ）のＯＤ値が最大値を示したピンク色は、黒色（Ｋ）のＯＤ値＝０．５１であり、イエロー（Ｙ）のＯＤ値が最大値を示す濃オレンジ色は、黒色（Ｋ）のＯＤ値＝０．６２であったことから、何れも上記規格２、上記規格３を満足していることが分かる。
【００５４】
つまり、図２、図６に示される前記ベタ印刷領域１１５に対して、上述した規格のＯＤ値を満足する有色インキの内の一色を選択的に用いることにより、黒色インキを用いた場合と同様な作用を備えさせることができる。しかも、有色インキを用いた実施例の場合であっても、黒色（Ｋ）のＯＤ値を限定したものであるから、偽造防止効果を一層優れたものとすることができる。
【００５５】
図８に前記ベタ印刷領域１１５の異なる実施例を示す。図に良く示されるようにこの実施例は少なくとも２つのベタ印刷領域１１５Ａ、１１５Ｂからなる。この実施例の場合、上記規格１乃至規格３で示される色の内から、例えば前記ベタ印刷領域１１５Ａは規格１の色、前記ベタ印刷領域１１５Ｂは規格２の色にすることで、前記ベタ印刷領域１１５を２色の有色インキで形成することができる。尚、ベタ印刷領域を３つ備えさせ、それぞれ異なる有色インキにより形成してもよいことは言うまでもない。このように、前記ベタ印刷領域１１５を有色インキで形成できるので、印刷物１００の背景模様１２２などと一体的に形成すればデザイン性の良い印刷物とすることができる。
【００５６】
以上、本発明の音声コード１を有した印刷物１００によると、所定のＯＤ値を有したインキにより形成された前記ベタ印刷領域１１５に対して前記音声コード１を重ね合わせるように印字することにより、真正品である印刷物においては、前記ベタ印刷領域１１５の存在があっても、全く影響を受けることなく前記音声コードの読取が可能であるものの、真正品を複写した複写物においては、前記ベタ印刷領域１１５の存在の影響を受け、前記音声コード１の読取が不可能とすることができるから、例え複写機により偽造されても、専用の読取装置や専用のアプリケーションがインストールされたスマートフォンなどにより簡単に真贋判定ができる優れた機能を備える印刷物１００を提供できる。
【００５７】
原本では前記コード１の読み取りが可能で、原本の複写による複写物では前記音声コード１が読み取り不可能とするために、前記データ要素領域５を構成する白色領域（より詳しくは、白色セル７を挟む黒色セル６と黒色セル６とがなす最小の間隔がなす領域）、及び前記第一の間隙１１がなす白色領域のような極めて狭い領域に重なるように前記ベタ印刷領域１１５が配設される共に、前記ベタ印刷領域１１５を形成するインキのＯＤ値を極めて限定することにより、前記白色領域の認識の可・不可を決めたものであるから、容易には偽造されない優れた偽造防止効果を備える印刷物１００を提供できる。
【００５８】
前記ベタ印刷領域１１５に用いるインキは黒色インキばかりでなく、有色インキも利用できることから、前記印刷物１１０に印刷される背景模様１２２などと一体的にデザインすれば印刷物１００のデザイン性の良い印刷物１００を提供できる。
【００５９】
特に視聴覚障害者にとっては、専用の読取装置や専用のアプリケーションがインストールされたスマートフォンを使って、読み取った文字情報を音声により確認すれば、受取った印刷物が本物であるかどうかをその場で判断できる、極めて利便性の高い印刷物１００とすることができる。尚、本発明の音声コード１を有した印刷物１００は、上記実施例に限定されるものではなく、その技術的範囲内で適宜変更して実施できることは言うまでもない。
【符号の説明】
【００６０】
１        音声コード（二次元コード）
３        データ認識用Ｔ字形マーカ
５        データ要素領域
６        黒色セル
７        白色セル
１０      矩形部
１１      第一の間隙
１２      第二の間隙
１５      ベタ印刷領域
１５ｍ    重合領域
２０、３０、４０、５０  破線
２１、３１、４１、５１  線分
２２、３２、４２、５２  見出し線
２３、３３、４３、５３  マーカ
１００    印刷物
１０５    媒体
１１０    印字領域
１１５、１１５Ａ、１１５Ｂ  ベタ印刷領域
１２０    印刷領域
１２１    文字情報
１２２    背景模様
ａ        一方の縦辺
ｂ        一方の横辺
ｃ        他方の縦辺
ｄ        他方の縦辺
W        第一の間隙の幅寸法
【図１】
2018099775.tif 000003
【図２】
2018099775.tif 000004
【図３】
2018099775.tif 000005
【図４】
2018099775.tif 000006
【図５】
2018099775.tif 000007
【図６】
2018099775.tif 000008
【図７】
2018099775.tif 000009
【図８】
2018099775.tif 000010